(57)【要約】【課題】音楽データの再生に使用されるＳＤオーディオプレーヤにおいて、規格では限定されていた情報量を著しく増加させる。【解決手段】音声プログラムおよびその補助情報である管理データの他に、補助情報の内容、機能、ボリュームを拡張する拡張管理データをあらかじめ記録媒体に拡張管理データを格納する。拡張管理データ検索ステップＳ４で、記録媒体中の拡張管理データの有無の検索・判断を行う。拡張管理データ取得ステップＳ５で拡張管理データ検索ステップＳ４にて拡張管理データが有りと判断されたときに拡張管理データの取得を行う。再生プレイリスト／再生曲テキストデータ表示ステップＳ６で拡張管理データ取得ステップＳ５にて取得した拡張管理データ中の再生プレイリストのプレイリストタイトルや再生曲の曲タイトルをＬＣＤ表示器等へ出力する。【選択図】        図１
2004184675.tif 000002
【特許請求の範囲】
【請求項１】
音声もしくは映像プログラムおよびそれらの補助情報である管理データと、前記補助情報を拡張する拡張管理データとを記録した記録媒体を準備する記録媒体準備ステップと、
前記記録媒体から前記管理データの再生を行う再生ステップと、
前記記録媒体における前記拡張管理データの有無を検索・確認する拡張管理データ検索ステップと、
前記拡張管理データ検索ステップにより、前記拡張管理データが有りと判定されたときには、再生される前記音声もしくは映像プログラムに対応した補助データであるテキストデータを前記拡張管理データより検索・引用し表示器への出力を行う管理データ制御ステップとを含むことを特徴とする再生方式。
【請求項２】
拡張管理データ検索ステップにより拡張管理データが無しと判定されたときには、再生される音声もしくは映像プログラムに対応した補助データであるテキストデータを、管理データ制御ステップで管理データより検索・引用し表示器への出力を行う請求項１記載の再生方式。
【請求項３】
グループを構成する複数の音声もしくは映像プログラムおよびそれらの補助情報である管理データと、前記補助情報を拡張するグループおよび各音声もしくは映像プログラムのいずれか少なくとも一方に対する拡張管理データとを記録した記録媒体を準備する記録媒体準備ステップと、
前記記録媒体から前記管理データの再生を行う再生ステップと、
前記記録媒体における前記拡張管理データ中の前記グループに対する前記拡張管理データの有無を検出するグループ拡張管理データ検索ステップと、
前記グループ拡張管理データ情報検索ステップにより、前記グループに対する前記拡張管理データが有りと判定されたときには、前記グループに対する前記拡張管理データ中のテキストデータを引用し表示器への出力を行うグループ管理データ制御ステップと、
前記記録媒体における前記拡張管理データ中の再生される前記音声もしくは映像プログラムに対する前記拡張管理データの有無を検出する再生プログラム拡張管理データ検索ステップと、
前記再生プログラム拡張管理データ情報検索ステップにより、再生される前記音声もしくは映像プログラムに対する前記拡張管理データが有りと判定されたときには、再生される音声もしくは映像プログラムに対する前記拡張管理データ中のテキストデータを引用し前記表示器への出力を行う再生プログラム管理データ制御ステップとを含むことを特徴とする再生方式。
【請求項４】
グループ拡張管理データ情報検索ステップによりグループに対する拡張管理データが無しと判定されたときには、管理データより前記グループに対するテキストデータを、グループ管理データ制御ステップで引用し前記表示器への出力を行い、
再生プログラム拡張管理データ情報検索ステップにより再生される音声もしくは映像プログラムに対する拡張管理データが無しと判定されたときには、前記管理データより再生される音声もしくは映像プログラムに対するテキストデータを、再生プログラム管理データ制御ステップで引用し前記表示器への出力を行う請求項３記載の再生方式。
【請求項５】
複数の音声もしくは映像プログラムがそれぞれ音楽の曲であり、グループが曲の集合体であるアルバムである請求項３または４記載の再生方式。
【請求項６】
記録媒体に記録される拡張管理データ中に表示タイミングを制御するタイミングデータを含ませる構成とし、前記タイミングデータに基づき再生中の音声もしくは映像プログラムに対応した補助データであるテキストデータを検索・引用し、表示器への出力タイミングを制御する管理データタイミング制御ステップを含む請求項１，２，３または４記載の再生方式。
【請求項７】
音声もしくは映像プログラムおよびそれらの補助情報である管理データを記録する第１の記録領域を設けるとともに、前記補助情報を拡張する拡張管理データを記録する第２の記録領域を設けた記録媒体。
【請求項８】
グループを構成する複数の音声もしくは映像プログラムおよびそれらの補助情報であるグループおよび各音声もしくは映像プログラムに対する管理データを記録する第１の記録領域を設けるとともに、前記補助情報を拡張するグループおよび各音声もしくは映像プログラムに対する拡張管理データを記録する第２の記録領域を設けた記録媒体。
【発明の詳細な説明】
【０００１】
【発明の属する技術分野】
本発明は、音声プログラムや映像プログラムのみならずプログラムの再生時間や再生順を示す管理データ、プログラムのタイトルや作成日時などの補助情報が記録された記録媒体から記録情報の再生を行う装置の再生方式および記録媒体に関するものである。
【０００２】
【従来の技術】
近年、再生装置は、デジタルで記録された媒体の再生が可能となりデジタルビデオ装置やミニディスク装置、またＳＤカード等フラッシュメモリを用いたプレーヤ等のように映像や音声の劣化が少なく、プログラムのタイトル等の補助情報も再生することが可能で使用感が向上し、またインターネットからのデータのダウンロードにより簡単に音楽や映像を楽しむことが可能となり、業務用のみならず民生分野でも広く利用されるようになってきている（例えば、特許文献１参照）。
【０００３】
図８は従来の再生方式として、ＳＤオーディオプレーヤの管理データ処理シーケンスを示している。この管理データ処理シーケンスは、図８に示すように、Ｓ２６からＳ３１までのステップで構成されている。
【０００４】
Ｓ２６はＳＤカードの認証を行うカード認証ステップである。カード認証とは、カードとプレーヤ間にて、それぞれの固有の鍵データを交換し、該当プレーヤが該当カードを使用可能であるか（ハッキングされていないか）どうかを調べることをいう。
【０００５】
Ｓ２７は再生を行うプレイリストに関する各種情報（特許請求の範囲における音声もしくは映像プログラムおよびその補助情報である管理データに相当する）を取得する再生プレイリストデータ取得ステップである。プレイリストとは、単数あるいは複数の曲をグループとして管理する単位である。ＳＤオーディオでは、デフォルトプレイリストとプレイリスト（０〜９９）の２種に大別される。デフォルトプレイリストは、カードに収録されている全ての曲が登録されている。プレイリストは０〜９９までの任意の数を登録でき、デフォルトプレイリスト中の任意の曲を登録できる。
【０００６】
Ｓ２８は再生プレイリストデータ取得ステップＳ２７にて取得したプレイリストに関する各種情報中、ユーザに提示することが有効であるプレイリストタイトル、総曲数、プレイリスト総演奏時間等をテキスト表示可能なＬＣＤ表示器等に表示出力する再生プレイリストテキストデータ表示出力ステップである。
【０００７】
Ｓ２９は再生を行う音楽の曲に関する各種情報（特許請求の範囲における音声もしくは映像プログラムおよびそれらの補助情報である管理データに相当する）を取得する再生曲データ取得ステップである。
【０００８】
Ｓ３０は再生曲データ取得ステップＳ２９にて取得した曲に関する各種情報中、ユーザに提示することが有効である曲タイトル、曲の演奏者名、曲総演奏時間等をテキスト表示可能なＬＣＤ表示器等に表示出力する再生曲テキストデータ表示ステップである。
【０００９】
Ｓ３１は音楽ストリームの再生を行う曲再生ステップである。
【００１０】
【特許文献１】
特開２００２−０１５１４７号公報（段落０１０４−０１０９、第３６図）
【００１１】
【発明が解決しようとする課題】
この再生方式においては、図９に示されるようなフォルダ構成を有し、図８の各ステップＳ２７、Ｓ２９、Ｓ３１などでＲｏｏｔフォルダＤ０下のＳＤ＿ＡＵＤＩＯフォルダＤ１を検索する。プレイリストに関する情報は、ＲｏｏｔフォルダＤ０下のＳＤ＿ＡＵＤＩＯフォルダＤ１内のＳＤ＿ＡＵＤＩＯ．ＰＬＭファイルＦ１に格納されている。また、曲に関する情報は、ＳＤ＿ＡＵＤＩＯ．ＴＫＭファイルＦ２に格納されている。また、ＡＯＢｘｘｘ．ＳＡ１ファイルＦ３は、再生曲の音楽ストリームデータである。また、ＰＯＢｘｘｘ．ＪＰＧ／ＳＰ１ファイルＦ４およびＰＯＢ０００．ＰＯＭファイルＦ５は、再生曲に関連した静止画データである。上記の“ｘｘｘ”は任意の３桁の数値を示している。以下、同じである。
【００１２】
ＳＤ＿ＡＵＤＩＯ．ＰＬＭファイルＦ１は、図１０に示す構造をしている。再生プレイリストのテキストデータ、例えばデフォルトプレイリストのテキストデータは、図１０中、デフォルトプレイリストの情報が記録されたＤＰＬＩ（Ｄｅｆａｕｌｔ  Ｐｌａｙｌｉｓｔ  Ｉｎｆｏｒｍａｔｉｏｎ）領域に位置し、図１１に示すＤＰＬＩデータ構造中のＤＰＬＩ＿ＰＬＴＩ（Ｄｅｆａｕｌｔ  Ｐｌａｙｌｉｓｔ  Ｔｅｘｔ  Ｉｎｆｏｒｍａｔｉｏｎ）に（デフォルトプレイリスト以外はＰＬＩ＿ＰＬＴＩ）に位置している。また、再生曲のテキストデータは図１２に示すように各曲毎の構造を持っており、その中のＴＫＴＸＴＩ＿ＤＡ（２５６ｂｙｔｅ）に位置している。
【００１３】
図１０において、ＰＬＭＧＩ（Ｐｌａｙｌｉｓｔ  Ｍａｎａｇｅｒ  Ｉｎｆｏｒｍａｔｉｏｎ）領域は、カードに収録されたＳＤオーディオ全般に関わる情報で、収録プレイリスト数、最初に再生すべき曲番号、総曲数等が記録されている。
【００１４】
また、ＤＰＬＩ領域は、ＤＰＬＧＩ（Ｄｅｆａｕｌｔ  Ｐｌａｙｌｉｓｔ  Ｇｅｎｅｒａｌ  Ｉｎｆｏｒｍａｔｉｏｎ）領域および、ＤＰＬ＿ＴＫ＿ＳＲＰ＃１〜＃ｍ（Ｄｅｆａｕｌｔ  Ｐｌａｙｌｉｓｔ  Ｔｒａｃｋ  Ｓｅａｒｃｈ  Ｐｏｉｎｔｅｒ＃１〜＃ｍ）領域で構成されている。
【００１５】
ＤＰＬＧＩ領域はデフォルトプレイリスト収録曲数、収録全曲再生時間、デフォルトプレイリスト文字情報、デフォルトプレイリスト画像データへのリンク等が記録されている。また、ＤＰＬ＿ＴＫ＿ＳＲＰ＃１〜＃ｍ領域はデフォルトプレイリスト収録曲に関する情報のリンク先が記録されている。
【００１６】
ＰＬＩ＃１〜＃ｎ（Ｐｌａｙｌｉｓｔ  Ｉｎｆｏｒｍａｔｉｏｎ＃１〜＃ｎ）領域は、各プレイリスト毎の情報が記録されており、ＰＬＧＩ（Ｐｌａｙｌｉｓｔ  Ｇｅｎｅｒａｌ  Ｉｎｆｏｒｍａｔｉｏｎ）領域と、ＰＬ＿ＴＫ＿ＳＲＰ＃１〜＃ｍ（Ｐｌａｙｌｉｓｔ  Ｔｒａｃｋ  Ｓｅａｒｃｈ  Ｐｏｉｎｔｅｒ＃１〜＃ｍ）領域とで構成されている。
【００１７】
ＰＬＧＩ領域は、該当プレイリストの収録曲数およびその総再生時間、文字情報、画像データへのリンク等が記録されている。ＰＬ＿ＴＫ＿ＳＲＰ＃１〜＃ｍ領域は、収録曲に関する情報のリンク先が記録されている。
【００１８】
図１１において、ＲＢＰ（Ｒｅｌａｔｉｖｅ  Ｂｙｔｅ  Ｐｏｓｉｔｉｏｎ）は、ある固まり中の相対的なバイト位置であり、ある固まり中では０から始まる。
【００１９】
また、図１１の各記号は以下のような意味を有している。
【００２０】
ＤＰＬＩ＿ＩＤ：  ＤＰＬＩ  Ｉｄｅｎｔｉｆｉｅｒ
ＤＰＬＩ＿ＴＫＩ＿Ｎｓ：  Ｎｕｍｂｅｒ  ｏｆ  Ｔｒａｃｋｓ  ｉｎ  ＤＰＬＩ
ＤＰＬＩ＿ＰＢ＿ＴＭ：  Ｐｌａｙｂａｃｋ  Ｔｉｍｅ  ｏｆ  Ｄｅｆａｕｌｔ  Ｐｌａｙｌｉｓｔ
ＤＰＬＩ＿ＡＰＰ＿ＡＴＲ：  Ｄｅｆａｕｌｔ  Ｐｌａｙｌｉｓｔ  ａｐｐｌｉｃａｔｉｏｎ  Ａｔｔｒｉｂｕｔｅ
ＤＰＬＩ＿ＰＬＴＩ１＿ＡＴＲ：  Ａｔｔｒｉｂｕｔｅ  ｏｆ  Ｄｅｆａｕｌｔ  Ｐｌａｙｌｉｓｔ  Ｔｅｘｔ  Ｉｎｆｏｒｍａｔｉｏｎ  １
ＤＰＬＩ＿ＰＬＴＩ２＿ＡＴＲ：  Ａｔｔｒｉｂｕｔｅ  ｏｆ  Ｄｅｆａｕｌｔ  Ｐｌａｙｌｉｓｔ  Ｔｅｘｔ  Ｉｎｆｏｒｍａｔｉｏｎ  ２
ＤＰＬＩ＿ＰＬＴＩ：  Ｄｅｆａｕｌｔ  Ｐｌａｙｌｉｓｔ  Ｔｅｘｔ  Ｉｎｆｏｒｍａｔｉｏｎ
ＤＰＬＩ＿ＰＯＢ＿ＡＴＲ：  ＤＰＬＩ＿ＰＯＢ  ａｔｔｒｉｂｕｔｅ
ＤＰＬＩ＿ＰＯＢ＿ＳＲＰ：  ＤＰＬＩ＿ＰＯＢ  ｓｅａｒｃｈ  ｐｏｉｎｔｅｒ
ＤＰＬＩ＿ＲＳＭ＿ＰＬ：  Ｒｅｓｕｍｅ  ｉｎｆｏｒｍａｔｉｏｎ  ｏｆ  Ｄｅｆａｕｌｔ  Ｐｌａｙｌｉｓｔ
図１２において、ＴＫＩ＃１〜＃ｍ（Ｔｒａｃｋ  Ｉｎｆｏｒｍａｔｉｏｎ＃１〜＃ｎ）領域は、ＴＫＧＩ（Ｔｒａｃｋ  Ｇｅｎｅｒａｌ  Ｉｎｆｏｒｍａｔｉｏｎ）領域とＴＫＴＸＴＩ＿ＤＡ（Ｔｒａｃｋ＿Ｔｅｘｔ＿Ｉｎｆｏｍａｔｉｏｎ＿Ｄａｔａ＿Ａｒｅａ）領域とＴＭＳＲＴ（Ｔｉｍｅ＿Ｓｅｒｃｈ＿Ｔａｂｌｅ）領域で構成されている。
【００２１】
しかしながら、ＤＰＬＩ＿ＰＬＴＩは最大２００ｂｙｔｅ、ＴＫＴＸＴＩ＿ＤＡは最大２５６ｂｙｔｅと格納情報量が制限されており、メッセージや歌詞等の多くの文字数を必要とするものに対しては情報量不足であるという問題点を有していた。
【００２２】
本発明はこの点に鑑み、より多くのテキストデータを格納し、表示し得る再生方式および記録媒体を提供することを目的とする。
【００２３】
【課題を解決するための手段】
この課題を解決するために、請求項１記載の発明の再生方式は、記録媒体準備ステップと、再生ステップと、拡張管理データ検索ステップと、管理データ制御ステップとからなる。
【００２４】
記録媒体準備ステップでは、音声もしくは映像プログラムおよびそれらの補助情報である管理データと、前記補助情報を拡張する拡張管理データとを記録した記録媒体を準備する。
【００２５】
再生ステップでは、記録媒体から管理データの再生を行う。
【００２６】
拡張管理データ検索ステップでは、記録媒体における拡張管理データの有無を検索・確認する。
【００２７】
管理データ制御ステップでは、拡張管理データ検索ステップにより、拡張管理データが有りと判定されたときには、再生される音声もしくは映像プログラムに対応した補助データであるテキストデータを拡張管理データより検索・引用し表示器への出力を行う。
【００２８】
この方式によれば、記録媒体に拡張管理データ（テキストデータ）を任意に記録できるようにし、記録媒体における拡張管理データの有無を判定し、拡張管理データが記録されているときには、拡張管理データを読み出し表示するようにしたので、例えばメーセージや歌詞等のより多くのテキストデータを格納し、表示することができる。
【００２９】
請求項２記載の発明の再生方式は、請求項１記載の再生方式において、拡張管理データ検索ステップにより拡張管理データが無しと判定されたときには、再生される音声もしくは映像プログラムに対応した補助データであるテキストデータを、管理データ制御ステップで管理データより検索・引用し表示器への出力を行う。
【００３０】
この方式によれば、拡張管理データが無しと判定されたときには、管理データより音声もしくは映像プログラムに対応した補助データであるテキストデータを表示できる。
【００３１】
請求項３記載の発明の再生方式は、記録媒体準備ステップと、再生ステップと、グループ拡張管理データ検索ステップと、グループ管理データ制御ステップと、再生プログラム拡張管理データ検索ステップと、再生プログラム管理データ制御ステップとからなる。
【００３２】
記録媒体準備ステップでは、グループを構成する複数の音声もしくは映像プログラムおよびそれらの補助情報である管理データと、補助情報を拡張するグループおよび各音声もしくは映像プログラムのいずれか少なくとも一方に対する拡張管理データとを記録した記録媒体を準備する。
【００３３】
再生ステップでは、記録媒体から管理データの再生を行う。
【００３４】
グループ拡張管理データ検索ステップでは、記録媒体における拡張管理データ中のグループに対する拡張管理データの有無を検出する。
【００３５】
グループ管理データ制御ステップでは、グループ拡張管理データ情報検索ステップにより、グループに対する拡張管理データが有りと判定されたときには、グループに対する拡張管理データ中のテキストデータを引用し表示器への出力を行う。
【００３６】
再生プログラム拡張管理データ検索ステップでは、記録媒体における拡張管理データ中の再生される音声もしくは映像プログラムに対する拡張管理データの有無を検出する。
【００３７】
再生プログラム管理データ制御ステップでは、再生プログラム拡張管理データ情報検索ステップにより、再生される音声もしくは映像プログラムに対する拡張管理データが有りと判定されたときには、再生される音声もしくは映像プログラムに対する拡張管理データ中のテキストデータを引用し表示器への出力を行う。
【００３８】
この方式によれば、記録媒体に拡張管理データ（テキストデータ）を任意に記録できるようにし、記録媒体における拡張管理データの有無を判定し、拡張管理データが記録されているときには、拡張管理データを読み出し表示するようにしたので、例えばメーセージや歌詞等のより多くのテキストデータを格納し、表示することができる。さらに、拡張管理データを、グループに対する拡張管理データと、再生される音声もしくは映像プログラムに対する拡張管理データとで構成し、各々別々に有無を判定し、表示を行うようにしたので、グループに対する拡張管理データと、再生される音声もしくは映像プログラムに対する拡張管理データとを独立に、他方のデータの有無に影響を受けることなく、格納および表示することができる。
【００３９】
請求項４記載の発明の再生方式は、請求項３記載の再生方式において、グループ拡張管理データ情報検索ステップによりグループに対する拡張管理データが無しと判定されたときには、管理データよりグループに対するテキストデータを、グループ管理データ制御ステップで引用し表示器への出力を行い、再生プログラム拡張管理データ情報検索ステップにより再生される音声もしくは映像プログラムに対する拡張管理データが無しと判定されたときには、管理データより再生される音声もしくは映像プログラムに対するテキストデータを、再生プログラム管理データ制御ステップで引用し表示器への出力を行う。
【００４０】
この方式によれば、グループに対する拡張管理データが無しと判定されたときには、管理データより音声もしくは映像プログラムに対応した補助データであるテキストデータを表示でき、再生される音声もしくは映像プログラムに対する拡張管理データが無しと判定されたときには、管理データより再生される音声もしくは映像プログラムに対するテキストデータを表示できる。
【００４１】
請求項５記載の発明の再生方式は、請求項３または４記載の再生方式において、複数の音声もしくは映像プログラムがそれぞれ音楽の曲であり、グループが曲の集合体であるアルバムである。
【００４２】
この方式によれば、請求項３または４と同様の作用効果を有する。
【００４３】
請求項６記載の発明の再生方式は、請求項１，２，３または４記載の再生方式において、記録媒体に記録される拡張管理データ中に表示タイミングを制御するタイミングデータを含ませる構成とし、タイミングデータに基づき再生中の音声もしくは映像プログラムに対応した補助データであるテキストデータを検索・引用し、表示器への出力タイミングを制御する管理データタイミング制御ステップを含む。
【００４４】
この方式によれば、拡張管理データ中に表示タイミングデータを含め、表示タイミングデータを読み出すことにより、再生中の音声もしくは映像プログラムに同期したタイミングでテキスト表示、例えば歌詞表示を行うことができる。
【００４５】
請求項７記載の記録媒体は、音声もしくは映像プログラムおよびそれらの補助情報である管理データを記録する第１の記録領域を設けるとともに、補助情報を拡張する拡張管理データを記録する第２の記録領域を設けている。
【００４６】
この構成によれば、補助情報を拡張する拡張管理データを記録する第２の記録領域を設けているので、より多くのテキストデータを格納し、表示することができる。
【００４７】
請求項８記載の記録媒体は、グループを構成する複数の音声もしくは映像プログラムおよびそれらの補助情報であるグループおよび各音声もしくは映像プログラムに対する管理データを記録する第１の記録領域を設けるとともに、補助情報を拡張するグループおよび各音声もしくは映像プログラムに対する拡張管理データを記録する第２の記録領域を設けている。
【００４８】
この構成によれば、補助情報を拡張するグループおよび各音声もしくは映像プログラムに対する拡張管理データを記録する第２の記録領域を設けているので、より多くのテキストデータを格納し、表示することができる。
【００４９】
【発明の実施の形態】
以下、本発明の実施の形態について、図１から図７を用いて説明する。
【００５０】
（第１の実施の形態）
図１は本発明の第１の実施の形態における再生方式（ＳＤオーディオプレーヤ）の管理データ処理シーケンスを示している。この管理データ処理シーケンスは、図１に示すように、Ｓ１からＳ９までのステップで構成されている。
【００５１】
Ｓ１はＳＤカードの認証を行うカード認証ステップである。
【００５２】
Ｓ２は再生を行うプレイリストに関する各種情報（音声プログラムおよびその補助情報である管理データに相当する）を取得する再生プレイリストデータ取得ステップである。
【００５３】
Ｓ３は再生を行う曲に関する各種情報（音声プログラムおよびその補助情報である管理データに相当する）を取得する再生曲データ取得ステップである。
【００５４】
Ｓ４は記録媒体中の拡張管理データ（音声プログラムの補助情報のボリューム、機能を拡張する）の有無の検索・判断を行う拡張管理データ検索ステップである。記録媒体であるＳＤカードには、拡張管理データが記録されている。
【００５５】
上記で拡張される機能というのは、本発明の実施の形態では、例えば文字情報を表示するタイミングを与える機能のことを意味し、補助情報のボリュームというのは、収納される情報量、プレイリスト情報領域では、２００ｂｙｔｅ、曲情報領域では、２５６ｂｙｔｅであり、この情報量が使用カードサイズに応じて拡張される。
【００５６】
Ｓ５は拡張管理データ検索ステップＳ４にて拡張管理データが有りと判断されたときに拡張管理データの取得を行う拡張管理データ取得ステップである。
【００５７】
Ｓ６は拡張管理データ取得ステップにて取得した拡張管理データ中の再生プレイリストのプレイリストタイトルや再生曲の曲タイトルをＬＣＤ表示器等へ出力する再生プレイリスト／再生曲テキストデータ表示ステップである。
【００５８】
Ｓ７は拡張管理データ検索ステップＳ４にて拡張管理データが無しと判断されたときに再生プレイリストデータ取得ステップＳ２にて取得したプレイリストに関する各種情報中のプレイリストタイトル、総曲数、プレイリスト総演奏時間等をテキスト表示可能なＬＣＤ表示器等に表示出力する再生プレイリストテキストデータ表示出力ステップである。
【００５９】
Ｓ８は再生曲データ取得ステップＳ３にて取得した曲に関する各種情報中ユーザに提示することが有効である曲タイトル、曲の演奏者名、曲総演奏時間等をテキスト表示可能な表示器に出力する再生曲テキストデータ表示ステップである。
【００６０】
Ｓ９は音楽ストリームの再生を行う曲再生ステップである。
【００６１】
なお、本再生方式では、予め、音声プログラムおよびその補助情報である管理データと、補助情報を拡張する拡張管理データとを記録した記録媒体を準備する記録媒体準備ステップが必要となる。
【００６２】
図２は本発明において、拡張管理データを記録した記録媒体のフォルダ構成を示している。図２において、Ｄ０はＲｏｏｔフォルダであり、Ｄ１は従来のＳＤオーディオ規格に基づくＳＤ＿ＡＵＤＩＯフォルダである。ファイルＦ１〜Ｆ５は従来例と同一の構成である。Ｄ２は拡張管理データを格納するＳＤ＿ＡＵＤＩＯ＿ＥＸＴフォルダである。Ｆ６は曲管理データの拡張を行うＴＫｘｘｘ．ＴＸＴファイルである。Ｆ７はプレイリスト管理データの拡張を行うＰＬｘｘｘ．ＴＸＴファイルである。
【００６３】
ファイルＦ１，Ｆ２がグループ（プレイリスト，アルバム）を構成する複数の音声プログラム（音楽の曲）およびそれらの補助情報であるグループおよび各音声プログラムに対する管理データを記録する記録媒体の第１の記録領域に相当する。ファイルＦ６，Ｆ７が補助情報を拡張するグループおよび各音声プログラムに対する拡張管理データを記録する記録媒体の第２の記録領域に相当する。
【００６４】
なお、グループが形成されていない場合には、第１および第２の記録領域に記録されるのは、音声プログラムに対する管理情報のみ、また拡張管理情報のみとなる。また、逆に、グループに関する管理情報のみ、拡張管理情報のみが第１および第２の記録媒体に記録される場合もある。
【００６５】
図３はＴＫｘｘｘ．ＴＸＴファイルＦ６の例で、文字コード属性、表記内容ｔａｇコード、文字コード等から構成される。図３では、タイトルが「ＡＢＣＤ‥‥」であり、アーチスト名が「ａｂｃｄｅ‥‥」であり、レコーディングカンパニー名が「ＸＹＺ‥‥」であることが示されている。
【００６６】
図４は表記内容ｔａｇコードの構成例であり、タイトルやアーチスト名、アルバムタイトル、作詞者等を分類表記するためのものである。
【００６７】
以上のように構成された再生方式について、以下、その動作を述べる。ステップＳ１からステップＳ３までは従来の方式でも用いられている管理データ取得の手順である。
【００６８】
拡張管理データ検索ステップＳ４では、図２に示した拡張管理データを備えたＳＤオーディオ・フォルダ構成に示されるＳＤ＿ＡＵＤＩＯ＿ＥＸＴフォルダＤ２を検索し、かつフォルダＤ２内にＴＫｘｘｘ．ＴＸＴファイルＦ６およびＰＬｘｘｘ．ＴＸＴファイルＦ７が存在するか記録媒体中のファイルシステムを用いて検出を行う。それぞれのファイルＦ６，Ｆ７の存在が検出されると、拡張データ取得ステップＳ５によりそれぞれのファイルＦ６，Ｆ７が読み込まれる。
【００６９】
再生プレイリスト／再生曲テキストデータ表示ステップＳ６では、読み込んだファイルＦ６，Ｆ７中の表示すべきテキストデータを検索し、アルバムタイトルや曲タイトルのテキストデータの表示器への出力を行う。
【００７０】
図３に示される拡張曲データの例では、テキストが曲タイトルを示すタグＴＴＬ（ｔａｇ１）を検出し、それ以降に配置されているテキストを表示することとなる。同様にして、アーチスト名、レコーディングカンパニー名もテキスト表示される。これにより、拡張管理データがあるときには通常のテキスト容量より遥かに多くの情報を入手・表示出力可能となる。
【００７１】
上記の拡張管理データ検索ステップＳ４が、記録媒体における拡張管理データの有無を検索・確認する拡張管理データ検索ステップに相当する。
【００７２】
また、拡張管理データ取得ステップＳ５、再生プレイリスト／再生曲テキストデータ表示ステップＳ６、再生プレイリストテキストデータ表示出力ステップＳ７および再生曲テキストデータ表示ステップＳ８が、拡張管理データ検索ステップにより、拡張管理データが有りと判定されたときには、再生される音声プログラムに対応した補助データであるテキストデータを拡張管理データより検索・引用し表示器への出力を行い、拡張管理データが無しと判定されたときには、再生される音声プログラムに対応した補助データであるテキストデータを管理データより検索・引用する管理データ制御ステップに相当する。
【００７３】
以上説明したように、この実施の形態によれば、拡張管理データを格納するファイルを設け、拡張管理データの有無を検出し、拡張管理データが有るときには、拡張管理データを読み出して表示させるようにしているので、通常のテキスト容量より遥かに多くの情報を入手・表示出力可能となる。
【００７４】
（第２の実施の形態）
図５は本発明の第２の実施の形態における再生方式（ＳＤオーディオプレーヤ）の管理データ処理シーケンスを示している。この管理データ処理シーケンスは、図５に示すように、Ｓ１０からＳ１９までのステップで構成されている。
【００７５】
Ｓ１０からＳ１２のステップまでは本発明の第１の実施の形態における再生方式のステップＳ１〜Ｓ３と同じく従来と同様の処理ステップである。
【００７６】
Ｓ１３は記録媒体中の拡張再生プレイリストデータ（音声プログラムの補助情報のボリューム、機能を拡張する拡張管理データの中のグループに対する拡張管理データに相当する）の有無を検索する拡張再生プレイリストデータ検出ステップである。記録媒体であるＳＤカードには、拡張再生プレイリストデータ（グループに対する拡張管理データ）が記録されている。
【００７７】
Ｓ１４は拡張再生プレイリストデータ検出ステップＳ１３にて拡張再生プレイリストデータが有りと検出されたときに、拡張再生プレイリストデータを取得し、拡張再生プレイリストデータを表示器へ出力する拡張再生プレイリストテキストデータ取得表示ステップである。
【００７８】
Ｓ１５は拡張再生プレイリストデータ検出ステップＳ１３にてデータ再生プレイリスト拡張データが無しと検出されたときに、再生プレイリストデータを表示器へ出力する再生プレイリストテキストデータ表示ステップである。
【００７９】
Ｓ１６は記録媒体中の拡張再生曲データ（音声プログラムの補助情報のボリューム、機能を拡張する拡張管理データ中の再生される音声プログラムに対する拡張管理データに相当する）の有無を検索する拡張再生曲データ検出ステップである。記録媒体であるＳＤカードには、拡張再生曲データ（再生される音声プログラムに対する拡張管理データ）が記録されている。
【００８０】
Ｓ１７は拡張再生曲データ検出ステップＳ１６にて拡張再生曲データが有りと検出されたときに、拡張再生曲データを取得し、拡張再生曲データを表示器へ出力する拡張再生曲テキストデータ取得表示ステップである。
【００８１】
Ｓ１８は拡張再生曲データ検出ステップＳ１６にて拡張再生曲データが無しと検出されたときに、再生曲データのテキストを表示器へ出力する再生曲テキストデータ表示ステップである。
【００８２】
Ｓ１９は音楽ストリームの再生を行う曲再生ステップである。
【００８３】
なお、本再生方式では、予め、グループ（プレイリスト，アルバム）を構成する複数の音声プログラム（音楽の曲）およびそれらの補助情報である管理データと、補助情報を拡張するグループおよび各音声プログラムのいずれか少なくとも一方に対する拡張管理データとを記録した記録媒体を準備する記録媒体準備ステップが必要である。
【００８４】
以上のように構成された再生方式について、以下、その動作を述べる。ステップＳ１０からステップＳ１２までは従来の方式でも用いられている管理データ取得の手順である。
【００８５】
拡張再生プレイリストデータ検索ステップＳ１３では、図２に示した拡張管理データを備えたＳＤオーディオ・フォルダ構成に示されるＳＤ＿ＡＵＤＩＯ＿ＥＸＴフォルダＤ２を検索し、かつフォルダＤ２内にＰＬｘｘｘ．ＴＸＴファイルＦ７が存在するか記録媒体中のファイルシステムを用いて検出を行う。
【００８６】
ファイルＦ７の存在が検出されると、拡張再生プレイリストデータ処理ステップＳ１４によりファイルＦ７が読み込まれ、ファイルＦ７中の表示すべきテキストデータを検索し、アルバムタイトルのテキストデータの表示器への出力を行う。
【００８７】
拡張再生プレイリストデータが無い場合は、表示プレイリストテキストデータ表示ステップＳ１５にてあらかじめ取得しているＳＤ＿ＡＵＤＩＯ．ＰＬＭファイルＦ１より表示すべきテキストデータを検索し、表示器への出力を行う。
【００８８】
拡張再生曲データ検索ステップＳ１６では、図２に示した拡張管理データを備えたＳＤオーディオ・フォルダ構成に示されるＳＤ＿ＡＵＤＩＯ＿ＥＸＴフォルダＤ２を検索し、かつフォルダＤ２内にＴＫｘｘｘ．ＴＸＴファイルＦ６が存在するか記録媒体中のファイルシステムを用いて検出を行う。
【００８９】
ファイルＦ６の存在が検出されると、拡張再生曲データ処理ステップＳ１７によりファイルＦ６が読み込まれ、ファイルＦ６中の表示すべきテキストデータを検索し、曲タイトル等のテキストデータの表示器への出力を行う。
【００９０】
拡張再生データが無い場合は、再生曲テキストデータ表示ステップＳ１８にてあらかじめ取得しているＳＤ＿ＡＵＤＩＯ．ＴＫＭファイルＦ２より表示すべきテキストデータを検索し、表示器への出力を行う。
【００９１】
上記の拡張再生プレイリストデータ検出ステップＳ１３が、記録媒体における拡張管理データ中のグループに対する拡張管理データの有無を検出するグループ拡張管理データ検索ステップに相当する。
【００９２】
また、拡張再生プレイリストテキストデータ取得表示ステップＳ１４および再生プレイリストテキストデータ表示ステップＳ１５が、グループ拡張管理データ情報検索ステップにより、グループに対する拡張管理データが有りと判定されたときには、グループに対する拡張管理データ中のテキストデータを引用し表示器への出力を行い、グループに対する拡張管理データが無しと判定されたときには、管理データよりグループに対するテキストデータを引用し表示器への出力を行うグループ管理データ制御ステップに相当する。
【００９３】
また、拡張再生曲データ検出ステップＳ１６が、記録媒体における拡張管理データ中の再生される音声プログラムに対する拡張管理データの有無を検出する再生プログラム拡張管理データ検索ステップに相当する。
【００９４】
また、拡張再生曲テキストデータ取得表示ステップＳ１７および再生曲テキストデータ表示ステップＳ１８が、再生プログラム拡張管理データ情報検索ステップにより、再生される音声プログラムに対する拡張管理データが有りと判定されたときには、再生される音声プログラムに対する拡張管理データ中のテキストデータを引用し表示器への出力を行い、再生される音声プログラムに対する拡張管理データが無しと判定されたときには、管理データより再生される音声プログラムに対するテキストデータを引用し表示器への出力を行う再生プログラム管理データ制御ステップに相当する。なお、複数の音声プログラムがそれぞれ音楽の曲であり、グループが曲の集合体である。
【００９５】
これにより、拡張管理データ中の拡張再生プレイリストデータあるいは拡張再生曲データのそれぞれの有無の関係に制限されることなく、プレイリストデータや再生曲データの表示出力が独立して実行可能となる。その他、第１の実施の形態と同様の作用効果を有する。
【００９６】
（第３の実施の形態）
図６は本発明の第３の実施の形態における再生方式（ＳＤオーディオプレーヤ）のテキスト同期表示制御シーケンスを示している。このテキスト同期表示制御シーケンスは、第１および第２の実施の形態における管理データ処理シーケンスの中の再生曲テキストデータ表示処理の内容を具体的に示すものであり、それ以外の構成については、第１または第２の実施の形態と同様である。
【００９７】
この管理データ処理シーケンスでは、図６に示すように、Ｓ２０からＳ２５までのステップで構成されている。この実施の形態では、歌詞等の拡張再生曲データのテキストの表示タイミングを示す表示タイミングデータがＳＤカード等の記録媒体に記録される構成となっている。
【００９８】
Ｓ２０は拡張再生曲データが有るときに、表示タイミングデータの有無を検索する拡張再生曲データ表示タイミング検索ステップである。
【００９９】
Ｓ２１は拡張再生曲データ表示タイミング検索ステップＳ２０にて表示タイミングデータが有りと判断されたときに、表示タイミングデータを取得する表示タイミングデータ取得ステップである。
【０１００】
Ｓ２２は再生曲中の出力されている音楽データの位置（再生位置）を取得する再生位置取得ステップである。
【０１０１】
Ｓ２３は拡張再生曲データのテキストの表示タイミングが再生位置に対して適しているか否かを判定する表示タイミング判定ステップである。具体的には、表示タイミングデータと再生位置とを比較することにより表示タイミングが適正か判定する。
【０１０２】
Ｓ２４は表示タイミング判定ステップＳ２３にて拡張再生曲データの表示タイミングが適していると判断されたときに、拡張再生曲データのテキストを表示出力する該当テキスト表示処理ステップである。
【０１０３】
Ｓ２５は拡張再生曲データ表示タイミング検索ステップＳ２０にて表示タイミングデータが無しと判断されたときに、再生曲データのテキストを表示出力する再生曲データ通常表示処理ステップである。
【０１０４】
以上のように構成された再生方式について、以下、その動作を述べる。拡張再生曲データ表示タイミング検索ステップＳ２０では、拡張再生曲データファイル中の表示タイミングデータの有無を検索する。
【０１０５】
表示タイミングデータの記述された拡張再生曲データファイル有りの場合は、表示タイミングデータ取得ステップＳ２１により表示タイミングデータを取得し、曲先頭からどのくらいの経過時間位置であるかを求める。
【０１０６】
再生位置取得ステップＳ２２では、現在再生中の曲の曲先頭からの経過時間（再生位置）を取得する。
【０１０７】
表示タイミング判定ステップ２３では表示タイミングデータ取得ステップＳ２１にて取得した表示タイミングデータと再生位置取得ステップ２２にて取得した曲先頭からの経過時間とを比較し、曲先頭からの経過時間が表示タイミングデータ以上であれば該当テキスト表示処理ステップＳ２４に移行し、到達していなければそのまま次処理へ分岐する。
【０１０８】
該当テキスト表示処理ステップＳ２４では、表示タイミングデータに従属するテキストデータの表示器への出力を行う。
【０１０９】
表示タイミングデータ付きテキストファイルの構成を図７に示す。本実施の形態によれば、図７中の表示タイミング、例えば００：００：１５を再生データの再生位置が経過すると、“ＡＢＣＤ・・・”のテキストデータが表示されることとなる。
【０１１０】
拡張再生曲データ表示タイミング検索ステップＳ２０にて表示タイミングデータ記述無しの場合は、通常表示処理ステップＳ２５にて特に再生音楽データとの相関なくテキストデータの表示を行う。
【０１１１】
上記の拡張再生曲データ表示タイミング検索ステップＳ２０、表示タイミングデータ取得ステップＳ２１、再生位置取得ステップＳ２２、表示タイミング判定ステップＳ２３および該当テキスト表示処理ステップＳ２４が、記録媒体に記録される拡張管理データ中に表示タイミングを制御するタイミングデータを含ませる構成とし、タイミングデータに基づき再生中の音声プログラムに対応した補助データであるテキストデータを検索・引用し、表示器への出力タイミングを制御する管理データタイミング制御ステップに相当する。
【０１１２】
これにより、再生中の音楽データに同期したタイミングでテキストデータの表示が行うことができる。たとえば音楽に合わせて歌詞を表示させることが可能となる。
【０１１３】
なお、以上の構成では拡張管理データをＳＤ＿ＡＵＤＩＯ＿ＥＸＴフォルダＤ２という特別に準備したフォルダに配置する構成例にて説明したが、異なる名称のフォルダへの配置やＳＤ＿ＡＵＤＩＯフォルダＤ１への配置、あるいはＲｏｏｔフォルダＤ０直下に配置するよう構成しても同様に実現可能である。
【０１１４】
また、表示タイミングを曲先頭から経過時間から作成する構成例にて説明したが、音楽データサンプリングの単位であるフレームで扱うよう構成しても同様に実施可能である。また、拡張管理データを格納しているファイルＦ６，Ｆ７の名称としてＴＫｘｘｘ．ＴＸＴ、ＰＬｘｘｘ．ＴＸＴという例にて説明したが、異なる名称のファイルとして構成しても同様に実現可能である。
【０１１５】
なお、上記の実施の形態では、記録媒体に音声プログラムおよびその補助情報である管理データと、管理データを拡張する拡張管理データを記録した記録媒体における再生方式について説明したが、動画映像のような映像プログラム（音声については有無をとわない）についても音声プログラムの場合と同様に本発明を適用することができる。
【０１１６】
【発明の効果】
本発明の請求項１記載の再生方式によれば、記録媒体に拡張管理データ（テキストデータ）を記録するようにし、記録媒体における拡張管理データの有無を判定し、拡張管理データが記録されているときには、拡張管理データを読み出し表示するようにしたので、例えばメーセージや歌詞等のより多くのテキストデータを格納し、表示することができる。
【０１１７】
また、請求項３記載の再生方式によれば、請求項１記載の再生装置の効果に加え、拡張管理データを、グループに対する拡張管理データと、再生される音声もしくは映像プログラムに対する拡張管理データとで構成し、各々別々に有無を判定し、表示を行うようにしたので、グループに対する拡張管理データと、再生される音声もしくは映像プログラムに対する拡張管理データとを独立に、他方のデータの有無に影響を受けることなく、格納および表示することができる。
【０１１８】
請求項６記載の再生方式によれば、請求項１または２記載の再生方式の効果に加え、拡張管理データ中に表示タイミングデータを含め、表示タイミングデータを読み出すことにより、再生中の音声もしくは映像プログラムに同期したタイミングでテキスト表示、例えば歌詞表示を行うことができる。
【０１１９】
請求項７記載の記録媒体によれば、補助情報を拡張する拡張管理データを記録する第２の記録領域を設けているので、より多くのテキストデータを格納し、表示することができる。
【０１２０】
請求項８記載の記録媒体によれば、補助情報を拡張するグループおよび各音声もしくは映像プログラムに対する拡張管理データを記録する第２の記録領域を設けているので、より多くのテキストデータを格納し、表示することができる。
【０１２１】
以上説明したように、本発明によれば、メッセージや歌詞等の多くの情報量を必要とするデータを記録媒体に格納して利用でき、表示器等への出力が可能となるという有利な効果が得られる。
【図面の簡単な説明】
【図１】本発明の第１の実施の形態による再生方式における管理データ処理シーケンスを示す流れ図である。
【図２】本発明の第１の実施の形態による記録媒体上のＳＤオーディオ・フォルダの構成を示す模式図である。
【図３】本発明の第１の実施の形態による拡張再生曲データのファイル構成を示す模式図である。
【図４】本発明の第１の実施の形態による拡張再生曲データのファイルに用いられるタグの構成を示す模式図である。
【図５】本発明の第２の実施の形態による再生方式における管理データ処理シーケンスを示す流れ図である。
【図６】本発明の第３の実施の形態による再生方式におけるテキスト同期表示制御シーケンスを示す流れ図である。
【図７】本発明の第３の実施の形態による拡張再生曲データのファイル構成を示す模式図である。
【図８】従来の再生方式における管理データ処理シーケンスを示す流れ図である。
【図９】従来の記録媒体上のＳＤオーディオ・フォルダ構成を示す模式図である。
【図１０】ＳＤオーディオ規格に基づくプレイリストファイルの情報構成を示す模式図である。
【図１１】デフォルトプレイリストのデータ構造（ＤＰＬＩデータ構成）を示す模式図である。
【図１２】ＳＤオーディオ規格に基づく曲単位の情報構成を示す模式図である。
【符号の説明】
Ｓ１    カード認証ステップ
Ｓ２    再生プレイリストデータ取得ステップ
Ｓ３    再生曲データ取得ステップ
Ｓ４    拡張管理データ検索ステップ
Ｓ５    拡張管理データ取得ステップ
Ｓ６    拡張再生プレイリスト／再生曲データテキスト表示ステップ
Ｓ７    再生プレイリストテキストデータ表示ステップ
Ｓ８    再生曲テキストデータ表示ステップ
Ｓ９    曲再生処理ステップ
Ｓ１０    カード認証ステップ
Ｓ１１    再生プレイリストデータ取得ステップ
Ｓ１２    再生曲データ取得ステップ
Ｓ１３    拡張再生プレイリストデータ検出ステップ
Ｓ１４    拡張再生プレイリストテキストデータ表示ステップ
Ｓ１５    再生プレイリストテキストデータ表示ステップ
Ｓ１６    拡張再生曲データ検出ステップ
Ｓ１７    拡張再生曲テキストデータ表示ステップ
Ｓ１８    再生曲テキストデータ表示ステップ
Ｓ１９    曲再生ステップ
Ｓ２０    拡張再生曲データ表示タイミング検索ステップ
Ｓ２１    表示タイミングデータ取得ステップ
Ｓ２２    再生位置取得ステップ
Ｓ２３    表示タイミング判定ステップ
Ｓ２４    該当テキスト表示処理ステップ
Ｓ２５    再生曲データ通常表示処理ステップ
Ｓ２６    カード認証ステップ
Ｓ２７    再生プレイリストデータ取得ステップ
Ｓ２８    再生プレイリストテキストデータ表示出力ステップ
Ｓ２９    再生曲データ取得ステップ
Ｓ３０    再生曲テキストデータ表示ステップ
Ｓ２１    曲再生ステップ
Ｄ０    Ｒｏｏｔフォルダ
Ｄ１    ＳＤ＿ＡＵＤＩＯフォルダ
Ｄ２    ＳＤ＿ＡＵＤＩＯ＿ＥＸＴフォルダ
Ｆ１    ＳＤ＿ＡＵＤＩＯ．ＰＬＭファイル
Ｆ２    ＳＤ＿ＡＵＤＩＯ．ＴＫＭファイル
Ｆ３    ＡＯＢｘｘｘ．ＳＡ１ファイル
Ｆ４    ＰＯＢｘｘｘ．ＪＰＧ／ＳＰ１ファイル
Ｆ５    ＰＯＢ０００．ＰＯＭファイル
Ｆ６    ＴＫｘｘｘ．ＴＸＴファイル
Ｆ７    ＰＬｘｘｘ．ＴＸＴファイル
【図１】
2004184675.tif 000003
【図２】
2004184675.tif 000004
【図３】
2004184675.tif 000005
【図４】
2004184675.tif 000006
【図５】
2004184675.tif 000007
【図６】
2004184675.tif 000008
【図７】
2004184675.tif 000009
【図８】
2004184675.tif 000010
【図９】
2004184675.tif 000011
【図１０】
2004184675.tif 000012
【図１１】
2004184675.tif 000013
【図１２】
2004184675.tif 000014